【手続補正書】
【提出日】平成19年7月17日(2007.7.17)
【手続補正１】
【補正対象書類名】特許請求の範囲
【補正対象項目名】全文
【補正方法】変更
【補正の内容】
【特許請求の範囲】
【請求項１】
予め設定された印刷設定を利用して印刷要求に係わる文書の印刷を制御する印刷制御装置において、
前記印刷設定を管理する印刷設定管理手段と、
前記印刷設定の適用条件を管理する適用条件管理手段と、
前記印刷要求にかかわる文書に対応して前記適用条件管理手段で管理される適用条件の中の該文書に対応する印刷条件を取得して設定する印刷条件設定手段と、
前記印刷条件設定手段で設定した印刷条件に適合する印刷設定を前記印刷設定内容管理手段で管理する印刷設定の中から取得する印刷設定取得手段と、
前記印刷設定取得手段で取得した印刷設定を一覧表示する印刷設定一覧表示手段と
を具備することを特徴とする印刷制御装置。
【請求項２】
前記適用条件管理手段は、
前記印刷要求にかかわる文書の属性、状態および印刷操作者の属性に対応して前記印刷条件を管理し、
前記印刷条件設定手段は、
前記印刷要求にかかわる文書の属性、状態および印刷操作者の属性に基づき前記文書に対応する印刷条件を取得する
ことを特徴とする請求項１記載の印刷制御装置。
【請求項３】
予め設定された印刷設定を利用して印刷要求に係わる文書の印刷を制御する印刷制御装置において、
前記印刷設定を管理する印刷設定管理手段と、
前記印刷設定の適用条件を管理する適用条件管理手段と、
前記印刷要求にかかわる文書に対応して前記適用条件管理手段で管理される適用条件の中の該文書に対応する印刷条件を取得して設定する印刷条件設定手段と、
前記印刷条件設定手段で設定した印刷条件に適合する印刷設定を前記印刷設定内容管理手段で管理する印刷設定の中から取得する印刷設定取得手段と、
前記印刷設定取得手段で取得した印刷設定の中の最適な印刷設定を自動設定する設定手段と
を具備することを特徴とする印刷制御装置。
【請求項４】
前記設定手段は、
前記印刷設定取得手段で取得した印刷設定の中の最も優先度が高い前記印刷設定を設定する
ことを特徴とする請求項３記載の印刷制御装置。
【請求項５】
予め設定された印刷設定を利用して印刷要求に係わる文書の印刷を制御する印刷制御をコンピュータにより実行させる印刷制御プログラムであって、
前記印刷設定を管理する第１のステップと、
前記印刷設定の適用条件を管理する第２のステップと、
前記印刷要求にかかわる文書に対応して前記第２のステップで管理される適用条件の中の該文書に対応する印刷条件を取得して設定する第３のステップと、
前記第３のステップで設定した印刷条件に適合する印刷設定を前記第１のステップで管理する印刷設定の中から取得する第４のステップと、
前記第４のステップで取得した印刷設定を一覧表示する第５のステップと
を含むことを特徴とする印刷制御プログラム。
【請求項６】
予め設定された印刷設定を利用して印刷要求に係わる文書の印刷を制御する印刷制御をコンピュータにより実行させる印刷制御プログラムであって、
前記印刷設定を管理する第６のステップと、
前記印刷設定の適用条件を管理する第７のステップと、
前記印刷要求にかかわる文書に対応して前記第７のステップで管理される適用条件の中の該文書に対応する印刷条件を取得して設定する第８のステップと、
前記第８のステップで設定した印刷条件に適合する印刷設定を前記第６のステップで管理する印刷設定の中から取得する第９のステップと、
前記第９のステップで取得した印刷設定の中の最適な印刷設定を自動設定する第１０のステップと
を含むことを特徴とする印刷制御プログラム。
【手続補正２】
【補正対象書類名】明細書
【補正対象項目名】発明の名称
【補正方法】変更
【補正の内容】
【発明の名称】印刷制御装置およびプログラム
【手続補正３】
【補正対象書類名】明細書
【補正対象項目名】０００１
【補正方法】変更
【補正の内容】
【０００１】
本発明は、予め設定された印刷設定を利用して印刷する印刷制御装置およびプログラムに関し、特に、印刷するドキュメントの属性、状態、操作者の属性に対応して最適な印刷設定を容易に選択できるようにした印刷制御装置およびプログラムに関する。
【手続補正４】
【補正対象書類名】明細書
【補正対象項目名】０００７
【補正方法】変更
【補正の内容】
【０００７】
そこで、本発明は、印刷するドキュメントの属性、状態、操作者の属性に対応して最適な印刷設定を容易に選択できるようにした印刷制御装置およびプログラムを提供することを目的とする。
【手続補正５】
【補正対象書類名】明細書
【補正対象項目名】００１２
【補正方法】変更
【補正の内容】
【００１２】
また、請求項５の発明は、予め設定された印刷設定を利用して印刷要求に係わる文書の印刷を制御する印刷制御をコンピュータにより実行させる印刷制御プログラムであって、前記印刷設定を管理する第１のステップと、前記印刷設定の適用条件を管理する第２のステップと、前記印刷要求にかかわる文書に対応して前記第２のステップで管理される適用条件の中の該文書に対応する印刷条件を取得して設定する第３のステップと、前記第３のステップで設定した印刷条件に適合する印刷設定を前記第１のステップで管理する印刷設定の中から取得する第４のステップと、前記第４のステップで取得した印刷設定を一覧表示する第５のステップとを含むことを特徴とする。
【手続補正６】
【補正対象書類名】明細書
【補正対象項目名】００１３
【補正方法】変更
【補正の内容】
【００１３】
また、請求項６の発明は、予め設定された印刷設定を利用して印刷要求に係わる文書の印刷を制御する印刷制御をコンピュータにより実行させる印刷制御プログラムであって、前記印刷設定を管理する第６のステップと、前記印刷設定の適用条件を管理する第７のステップと、前記印刷要求にかかわる文書に対応して前記第７のステップで管理される適用条件の中の該文書に対応する印刷条件を取得して設定する第８のステップと、前記第８のステップで設定した印刷条件に適合する印刷設定を前記第６のステップで管理する印刷設定の中から取得する第９のステップと、前記第９のステップで取得した印刷設定の中の最適な印刷設定を自動設定する第１０のステップとを含むことを特徴とする。
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１７
【補正方法】変更
【補正の内容】
【００１７】
以下、本発明に係わる印刷制御装置およびプログラムの一実施例を添付図面を参照して詳細に説明する。
【手続補正１０】
【補正対象書類名】明細書
【補正対象項目名】００１８
【補正方法】変更
【補正の内容】
【００１８】
図１は、この発明に係わる印刷制御装置およびプログラムを適用して構成したネットワーク構成図である。
【手続補正１１】
【補正対象書類名】明細書
【補正対象項目名】００２６
【補正方法】変更
【補正の内容】
【００２６】
図２は、この発明に係わる印刷制御装置およびプログラムを適用して構成した印刷制御装置のシステム構成図である。
【手続補正１２】
【補正対象書類名】明細書
【補正対象項目名】００８２
【補正方法】変更
【補正の内容】
【００８２】
【図１】この発明に係わる印刷制御装置およびプログラムを適用して構成したネットワーク構成図。
【図２】この発明に係わる印刷制御装置およびプログラムを適用して構成した印刷制御装置のシステム構成図。
【図３】印刷設定の詳細な項目を示す図。
【図４】印刷設定を適用するための条件を示す図。
【図５】印刷要求した文書の文書情報と印刷要求したユーザのユーザ情報を指定する画面を示す図。
【図６】抽出された印刷設定の一覧を表示する印刷設定選択画面を示す図。
【図７】印刷設定の抽出を行う流れを示すフローチャート。
【図８】印刷設定を適用するための条件を示す他の例の図。
【図９】印刷設定の抽出を行う流れを示す他の例のフローチャート